【事件の表示】
　平成　５年特許願第　７１２１９号「データ処理手段」拒絶査定に対する審判事件［平成　６年　９月１６日出願公開、特開平　６−２５９５６７］について、次のとおり審決する。
【結　論】
　本件審判の請求は、成り立たない。
【理　由】
１　手続の経緯・本願発明
　本願は、平成５年３月５日に出願されたものであって、その請求項１に係る発明（以下「本願発明」という）は、平成１３年９月２５日、及び平成１３年１２月１９日の手続補正により補正された明細書及び図面の記載からみて、特許請求の範囲の請求項１に記載された次のとおりのものである。
「【請求項１】　高速の軌跡制御手段、データ圧縮手段、あるいはアウトライン作成手段等に組み込まれる二次元点列補間方法を備えたデータ処理手段であって、
　前記二次元点列補間方法には、二次元座標内に与えられた点列間を、４つのパラメータによってクロソイドセグメントを記述し、このクロソイドセグメントのパラメータを一つのクロソイドセグメントとその次のクロソイドセグメントとの継ぎ目で両者の接線方向が一致するようにパラメータの値を決定することにより、点列間を滑らかに補間する自由曲線補間法を用いたことを特徴とするデータ処理手段。」
２　引用刊行物 
　これに対して、原査定の拒絶理由で引用した特開平４−１３４５７１号公報（平成４年５月８日出願公開、以下「引用例」という。）には、「自由曲線図形の記録方法」の発明に関し、
　ア　産業上の利用分野について、「本発明は、クロソイド補間を利用した自由曲線図形の記録方法に関し、標準文字・数字等の情報処理分野、型紙・パターン作成等の加工分野、魚類・木の葉の形状分析・分類等の科学技術分野に適用することができる」（１頁左下欄１３行〜１７行）こと、
　イ　発明の目的について、「本発明は、上記に鑑みなされたものであって、クロソイド曲線を用いることにより、自由曲線を描くのに必要なデータを圧縮し、データ処理の迅速化を実現することを目的とする」（１頁右下欄１４行〜１７行）こと、
　ウ　課題を解決するための手段について、「本発明は上記の目的を達成するために、曲率が曲線の長さに比例してなめらかに変化するクロソイド曲線を採用し、自由曲線を何本かのクロソイド・セグメントで近似して、そのつながりとして表現することにより、曲線を記録するのに必要なデータ数を従来の方法に比べて大幅に圧縮する自由曲線図形の記録方法を提供するものである。このクロソイド曲線は、曲率（曲率半径の逆数）が曲線の長さに比例して変化する曲線であり、（中略）Ｃｏ、Ｃ１、Ｃ２、ｓの４個のクロソイド・データを与えることにより、第７図に示す１本のクロソイド曲線を描くことができる」（１頁右下欄１９行〜２頁右上欄３行）こと、
　エ　クロソイド連結図形とデータに関する実施例について、「この第１図に示すクロソイド連結図形１００は、８個の曲線（直線を含む）によって構成されているから、３２個（４ｘ８）のクロソイド・データが必要となる。しかしながら、この例におけるクロソイド曲線は、“なめらかな連続曲線”であり、区切り点（中間点）において、曲率と方向とが連続になっている。即ち、前の区間の接線方向の最終値＝次の区間の接線方向の初期値（φ＝Ｃｏ+Ｃ１ｓ+Ｃ２ｓ２ →Ｃｏ）、前の区間の曲率の最終値＝次の区間の曲率の初期値（Ｃｖ＝Ｃ１+２Ｃ２ｓ→Ｃ１）となる」（２頁右下欄１３行〜３頁左上欄４行）こと、　
　オ　データの圧縮に関する実施例について、「与えられた任意の曲線をクロソイド曲線により表現するには、曲線の縮率を求め、該縮率が一定値と見なせる幾つかの区間に分ければよい。(a)ディジタイザにより、曲線（図形の輪郭）の点列データ（ｘとｙ座標）をコンピュータに取り込む。(b)次に、下記の式に従って各線分の方向の差分Δφと線分の長さΔｓより曲率Ｃｖを求める（第３図参照）。（中略）(c)曲線の長さｓに対して曲率Ｃｖをプロットして表示（ＣＲＴ表示）する（第４図参照）。（中略）(d)次に各区間毎に最小自乗法により、ばらついたデータを直線（１次式）で表示する（クロソイド・セグメント）。第４図に示すように、この直線の傾きが縮率Ｃｕになる。また、各直線の最初の曲率Ｃｖの値がＣ１となる。(e)曲線の最初のスタート方向（Ｃｏ）は図形が原図形と重なるように適当に定める」（３頁左上欄２０行〜左下欄１５行）こと、
　カ　同じくデータの圧縮に関する実施例について、「第４図に示すように、数字の“３”を例にとると、４本のクロソイド曲線で表示され、データ数は１６個（４ｘ４）に減少（圧縮）できる（因みに点列データは３９点であるから、ｘとｙデータでは７８個になる）。この場合、第５図に示すように、数字の“３”が４区間に（データ数１６個）に区分されている。丸１-丸２及び丸３-丸４（当審注：表示の都合により丸数字をこのように表示した）の接続は比較的なめらかに連続した曲線であるから、各々前の最終値を次の区間の初期値とすることができる」（３頁左上欄２０行〜右下欄５行）こと、
が図面と共に記載されている。
３　対比・判断   
　そこで、本願発明と引用例に記載された発明とを対比すると、
　ア　引用例に記載された発明は、クロソイド補間を利用した自由曲線図形の記録方法に関し（上記２ア参照）、曲率が曲線の長さに比例してなめらかに変化するクロソイド曲線を採用し、自由曲線を何本かのクロソイド・セグメントで近似して、そのつながりとして表現することにより、曲線を記録するのに必要なデータ数を従来の方法に比べて大幅に圧縮する自由曲線図形の記録方法を提供するものであり（上記２ウ参照）、前記記録方法は、データ処理手段におけるデータ圧縮手段に組み込まれることが、当業者に明かであるから、「データ圧縮手段に組み込まれる二次元点列補間方法を備えたデータ処理手段」である点で、本願発明と差異がない。
　イ　引用例に記載された発明は、ディジタイザにより、曲線（図形の輪郭）の点列データ（ｘとｙ座標）をコンピュータに取り込み、取り込んだ曲線を、縮率が一定値と見なせる幾つかの区間に分け、この各区間をクロソイド曲線で表現し（上記２オ参照）、前記クロソイド曲線は、Ｃｏ、Ｃ１、Ｃ２、ｓの４個のクロソイド・データにより表され（上記２ウ参照）、また、前記各区間は、前の区間の接続方向の最終値＝次の区間の接線方向の初期値（φ＝Ｃｏ+Ｃ１ｓ+Ｃ２ｓ２ →Ｃｏ）、前の区間の曲率の最終値＝次の区間の曲率の初期値（Ｃｖ＝Ｃ１+２Ｃ２ｓ→Ｃ１）として、なめらかに連結するものである（上記２エ、カ参照）から、「前記二次元点列補間方法には、二次元座標内に与えられた点列間を、４つのパラメータによってクロソイドセグメントを記述し、このクロソイドセグメントのパラメータを一つのクロソイドセグメントとその次のクロソイドセグメントとの継ぎ目で両者の接線方向が一致するようにパラメータの値を決定することにより、点列間を滑らかに補間する自由曲線補間法を用いた」点で、本願発明と差異がない。
　したがって、両者は、
「データ圧縮手段に組み込まれる二次元点列補間方法を備えたデータ処理手段であって、前記二次元点列補間方法には、二次元座標内に与えられた点列間を、４つのパラメータによってクロソイドセグメントを記述し、このクロソイドセグメントのパラメータを一つのクロソイドセグメントとその次のクロソイドセグメントとの継ぎ目で両者の接線方向が一致するようにパラメータの値を決定することにより、点列間を滑らかに補間する自由曲線補間法を用いたデータ処理手段」
である点で一致し、次の点で相違する。
(相違点）
　本願発明は、二次元点列補間方法が、データ圧縮手段以外に、「高速の軌跡制御手段、あるいはアウトライン作成手段等」に組み込まれるのに対して、引用例に記載された発明は、「データ圧縮手段」に組み込まれるものである点。
　そこで、検討すると、二次元点列補間方法を、高速の軌跡制御手段、あるいはアウトライン作成手段等に利用することは、当業者に周知である（必要であれば、特開平１−２５５０１０号公報、特開平２−１８４９１３号公報参照）から、二次元点列補間方法を、データ圧縮手段以外に、「高速の軌跡制御手段、あるいはアウトライン作成手段等」に組み込まれるものとすることは、当業者が格別の創意工夫を要することなく容易になし得ることである。
　そして、本願発明の構成によりもたらされる効果も引用例に記載された発明、及び周知技術から当業者が容易に予測し得る程度のものであり格別のものではない。
４　むすび
　以上のとおりであるから、本願発明は、引用例に記載された発明、及び周知技術に基いて当業者が容易に発明をすることができたものと認められるので、特許法第２９条第２項の規定により、特許を受けることができない。
　よって、結論のとおり審決する。